(57)【特許請求の範囲】
【請求項１】
互いに異なる配光特性を有する第１及び第２の発光管と、
上記第１の発光管に接続され、該第１の発光管の発光を制御する第１のスイッチング素子と、
上記第２の発光管に接続され、該第２の発光管の発光を制御する第２のスイッチング素子と、
上記第１のスイッチング素子に接続され、該第１のスイッチング素子がオンしたときに上記第１及び第２の発光管に同時にトリガ電圧を印加するトリガ回路と、
上記第１及び第２のスイッチング素子のオンオフを制御する制御回路と、
を具備し、
上記制御回路は、上記第１の発光管を発光させる際には、上記第１のスイッチング素子のみをオンさせて発光時間経過後にオフさせ、
上記第２の発光管を発光させる際には、上記第１及び第２のスイッチング素子を同時にオンさせた後に、上記第１のスイッチング素子については発光時間よりも短い時間経過後にオフさせ、上記第２のスイッチング素子については発光時間経過後にオフさせることを特徴とするストロボ装置。
【発明の詳細な説明】
【０００１】
【発明の属する技術分野】
本発明は、ストロボ装置に係り、特に部品点数を削減したストロボ装置に関するものである。
【０００２】
【従来の技術】
従来、カメラ等の撮像装置においては、被写体の明るさが所定値に満たない場合には、その明るさを補うべく、ストロボ装置による発光がなされている。
【０００３】
そして、一般的なストロボ装置においては、スイッチング素子のオン／オフをマイクロコンピュータが制御し、当該スイッチング素子がオンされる発光時間だけキセノン管が発光するように構成されている。
【０００４】
【発明が解決しようとする課題】
しかしながら、上記従来技術においては、例えばテレ、ワイド用といった２つのキセノン管にトリガを印加する為のトリガ用スイッチング素子も必要となり、部品点数が多くなり、装置の大型化を招いていた。更には、トリガ印加用の信号線により、回路規模も大規模なものとなり、装置の大型化を招いていた。
【０００５】
本発明は、上記問題に鑑みてなされたもので、その目的とするところは、部品点数を削減し、回路規模を縮小することで、全体として小型化を実現したストロボ装置を提供することにある。
【０００６】
【課題を解決するための手段】
上記目的を達成するために、本発明のストロボ装置は、互いに異なる配光特性を有する第１及び第２の発光管と、上記第１の発光管に接続され、該第１の発光管の発光を制御する第１のスイッチング素子と、上記第２の発光管に接続され、該第２の発光管の発光を制御する第２のスイッチング素子と、上記第１のスイッチング素子に接続され、該第１のスイッチング素子がオンしたときに上記第１及び第２の発光管に同時にトリガ電圧を印加するトリガ回路と、上記第１及び第２のスイッチング素子のオンオフを制御する制御回路と、を具備し、上記制御回路は、上記第１の発光管を発光させる際には、上記第１のスイッチング素子のみをオンさせて発光時間経過後にオフさせ、上記第２の発光管を発光させる際には、上記第１及び第２のスイッチング素子を同時にオンさせた後に、上記第１のスイッチング素子については発光時間よりも短い時間経過後にオフさせ、上記第２のスイッチング素子については発光時間経過後にオフさせることを特徴とする。
【０００７】
即ち、本発明のストロボ装置は、上記制御回路により、上記第１の発光管を発光させる際には、上記第１のスイッチング素子のみが動作され、上記第２の発光管を発光させる際には、上記第１及び第２のスイッチング素子同時にオンさせた後に、上記第１のスイッチング素子については発光時間よりも短い時間経過後にオフさせ、上記第２のスイッチング素子については発光時間経過後にオフさせることになる。
【０００８】
【発明の実施の形態】
以下、図面を参照して、本発明の実施の形態について説明する。
【０００９】
図１は本発明の一実施の形態に係るストロボ装置を適用したカメラの構成を示す図である。ここでは、特徴部分のみを図示し、説明する。
【００１０】
この図１に示されるように、電源Ｅの一端はＣＰＵ１の端子ＶＥに、他端は端子ＧＮＤに接地されている。そして、この電池Ｅから供給される電圧は、昇圧回路３にて昇圧された後に、メインコンデンサＣ１に充電されるように構成されている。この昇圧回路３とメインコンデンサＣ１との間には、該メインコンデンサＣ１に充電された電荷が逆方向に流れるのを防止すべくダイオードＤ１が接続されている。さらに、上記メインコンデンサＣ１と並列となるように、キセノン管１１とスイッチング素子たるトランジスタ（ＩＧＢＴ）１３が直列に接続されている。同様に、上記メインコンデンサＣ１と並列となるように、キセノン管１２とスイッチング素子たるトランジスタ（ＩＧＢＴ）１４が直列に接続されている。
【００１１】
このキセノン管１１、１２の内部にはキセノンガスが封止されている。
【００１２】
上記トランジスタ１３のゲートは、ＣＰＵ１の端子ＯＮＷに接続され、トランジスタ１３のオン／オフは当該ＣＰＵ１の端子ＯＮＷからの信号により制御される。同様に、上記トランジスタ１４のゲートは、ＣＰＵ１の端子ＯＮＴに接続され、トランジスタ１４のオン／オフは当該ＣＰＵ１の端子ＯＮＴからの信号により制御される。尚、上記キセノン管１１はワイド用、上記キセノン管１２はテレ用の発光部として機能するものである。
【００１３】
さらに、トリガトランスＴと、上記キセノン管１１に並列に接続された抵抗Ｒ３と、コンデンサＣ２とにより、トリガ回路が構成されている。このトリガ回路は、上記キセノン管１１，１２にトリガを与える役割を担うものである。また、上記昇圧回路３と並列となるように、充電電圧検出用の抵抗Ｒ１，Ｒ２が直列に接続されており、その接続端はＣＰＵ１の端子ＶSTに接続されている。上記昇圧回路３には、ＣＰＵ１の端子ＣＨＧが接続される。
【００１４】
このＣＰＵ１は、全体の制御を司るものであり、端子ＰＷにはパワースイッチ１０が接続され、端子Ｒにはレリーズスイッチ５が接続されている。この他、ＣＰＵ１の端子ＬＶには測距回路９が接続され、端子ｆには焦点距離検出回路６が接続され、端子ＳＳにはシャッタ制御回路８が接続され、端子ＦＭにはフィルム巻き上げ回路７が接続されている。
【００１５】
上記パワースイッチ１０は、カメラ全体に電源を供給するためのスイッチであり、上記レリーズスイッチ５は２段構成となっており、その半押しで１ｓｔレリーズがオンされ、更に全押した場合に２ｎｄレリーズがオンされるように構成されている。また、上記測距回路９は被写体距離を求めるものである。上記シャッタ制御回路８はシャッタの駆動を制御するものであり、上記フィルム巻き上げ回路７はフィルムの巻き上げ／巻き戻し等、給送を行うものである。
【００１６】
このような構成の下、本実施の形態では、上記ＣＰＵ１の制御により、上記キセノン管１１を発光させる際には、上記トランジスタ１３のみが動作され、上記キセノン管１２を発光させる際には、上記トランジスタ１３，１４が動作されることになる。即ちワイド用のキセノン管１１はトランジスタ１３のみで発光制御し、テレ用のキセノン管１２は、トランジスタ１３，１４により発光制御するものである。このように、トリガ回路制御用のトランジスタと、キセノン管の発光制御用のトランジスタとを兼用することで、部品点数を削減し、更には信号線の削減、ひいては装置自体の小型化を実現している。
【００１７】
以下、図２のフローチャートを参照して、実施の形態に係るストロボ装置を適用したカメラの動作を詳細に説明する。
【００１８】
カメラのパワースイッチ１０がオンされると、カメラの各部に電源が供給されＣＰＵ１がパワーオンリセットされて、本動作が開始される。
【００１９】
先ず、昇圧回路３をオンした後（ステップＳ１０１）、メインコンデンサＣ１が充電完了電圧に到達するまで充電を行う（ステップＳ１０２）。次いで、上記充電完了後、昇圧回路３をオフする（ステップＳ１０３）。
【００２０】
続いて、所定のズーム動作を行い（ステップＳ１０４）、ＣＰＵ１は、パワースイッチ１０がオフされているか否かを判断する（ステップＳ１０５）。ここで、上記パワースイッチ１０がオフされていれば、パワーオフにより動作を終了することになる（ステップＳ１０６）。
【００２１】
一方、パワースイッチ１０がオフされていなければ、レリーズスイッチ５がオンされているか否かを判断する（ステップＳ１０７）。そして、レリーズスイッチ５がオンされていなければ、上記ステップＳ１０４に戻り、上記動作を繰り返し、オンされていれば、ステップＳ１０８以降の処理に進む。
【００２２】
即ち、ＣＰＵ１は、上記抵抗Ｒ１と抵抗Ｒ２で分圧された電圧を検出することで、充電電圧を測定し（ステップＳ１０８）、測距回路９による所定の測距動作を行い（ステップＳ１０９）、所定の測光動作を行い（ステップＳ１１０）、焦点距離検出回路６により焦点距離を検出する（ステップＳ１１１）。
【００２３】
次いで、詳細は後述するサブルーチン「露出演算」を実行し（ステップＳ１１２）、詳細は後述するサブルーチン「露光」を行い（ステップＳ１１３）、フィルム巻き上げ制御回路７によるフィルムの１コマ巻き上げを行った後（ステップＳ１１４）、上記ステップＳ１０１に戻ることになる。
【００２４】
続いて、図３のフローチャートを参照して、上記ステップＳ１１２で実行されるサブルーチン「露出演算」の動作を詳細に説明する。
【００２５】
このサブルーチン「露出演算」がコールされると、被写体距離を設定値と比較する（ステップＳ２０１）。ここで、被写体距離が設定値よりも遠ければ、焦点距離と設定値とを比較する（ステップＳ２０２）。
【００２６】
そして、焦点距離が設定値よりも大きければ、ＣＰＵ１の端子ＯＮＴからの信号によりトランジスタ１４をオンして、所定時間、キセノン管１２を発光させる設定を行い、ステップＳ２０５以降の処理に進む（ステップＳ２０３）。
【００２７】
一方、上記ステップＳ２０１において、ＣＰＵ１により被写体距離が設定値よりも近いと判断された場合、又は上記ステップＳ２０２において、ＣＰＵ１により焦点距離が設定値よりも小さいと判断された場合には、ＣＰＵ１の端子ＯＮＷからの信号によりトランジスタ１３をオンして、所定時間、キセノン管１１を発光させる設定を行い、ステップＳ２０５以降の処理に進む（ステップＳ２０４）。
【００２８】
こうして、ＣＰＵ１は、ＡＶ値を設定し（ステップＳ２０５）、ＴＶ値を設定し（ステップＳ２０６）、ＧＶ値を設定し（ステップＳ２０７）、メインルーチンにリターンする。尚、上記ＡＶ（Aperture  Value）値とは、絞りを表わす数値であり、上記ＴＶ（Time  Value）値とは、シャッタ速度を表わすものである。一般には、ＡＶ＋ＴＶ＝ＳＶ＋ＢＶの関係が成立している。
【００２９】
次に、図４のフローチャートを参照して、上記ステップＳ１１３で実行されるサブルーチン「露光」の動作を詳細に説明する。
【００３０】
このサブルーチン「露光」がコールされると、先ず、ＣＰＵ１は、絞りの設定を行い（ステップＳ３０１）、シャッタの動作を開始させ（ステップＳ３０２）、ストロボ発光要求の有無を判断する（ステップＳ３０３）。
【００３１】
ここで、ストロボ発光要求がＣＰＵ１に対してなされると、キセノン管１２を発光させるべきか否かが判断される（ステップＳ３０４）。ここで、キセノン管１２を発光させない場合には、端子ＯＮＷの信号をオンしてキセノン管１１を発光させ（ステップＳ３０６）、ステップＳ３０９に移行する。
【００３２】
一方、キセノン管１２を発光させる場合には、端子ＯＮＴ，ＯＮＷの信号を共にオンし、該キセノン管１２を発光し（ステップＳ３０５）、３μｓｅｃだけ発光継続した後（ステップＳ３０７）、端子ＯＮＷの信号をオフする（ステップＳ３０８）。以上のステップＳ３０４乃至Ｓ３０７の動作を先に設定された発光時間だけ繰り返した後（ステップＳ３０９）、端子ＯＮＴ，ＯＮＷの信号を共にオフし（ステップＳ３１０）、ステップＳ３１１に進む。
【００３３】
こうして、シャッタを閉じる時間（露光時間）だけ待機し（ステップＳ３１１）、発光時間が経過すると、シャッタを閉じ（ステップＳ３１２）、絞りを解除し（ステップＳ３１３）、メインルーチンにリターンする。
【００３４】
ここで、図５及び図６のタイムチャートを参照して、上記発光制御を更に具体的に説明する。図５は、ワイド用のキセノン管１１を発光させる場合の制御を示している。この場合、シャッタ開状態において（図５（ａ）参照）、ＣＰＵ１の端子ＯＮＷの信号がオンされている時間において発光がなされることになる（図５（ｂ）参照）。この場合は、端子ＯＮＴの信号がオンされることはない。
【００３５】
これに対して、図６は、テレ用のキセノン管１１を発光させる場合の制御を示している。この場合、シャッタ開状態において（図６（ａ）参照）、ＣＰＵ１の端子ＯＮＷの信号、端子ＯＮＴの信号が共にオンされている時間において発光がなされることになる（図５（ｂ）,（ｃ）参照）。なお、ＯＮＷは、キセノン管にトリガを加える時間のみオンしているので、露光には影響しない。
【００３６】
以上、本発明の実施の形態について説明したが、本発明はこれに限定されることなく、その趣旨を逸脱しない範囲で種々の改良、変更が可能である。
【００３７】
【発明の効果】
本発明によれば、部品点数を削減し、回路規模を縮小することで、全体として小型化を実現したストロボ装置を提供することができる。
【図面の簡単な説明】
【図１】本発明の実施の形態に係るストロボ装置を適用したカメラの構成図である。
【図２】実施の形態に係るストロボ装置を適用したカメラの主動作を示すフローチャートである。
【図３】サブルーチン「露出演算」の動作を示すフローチャートである。
【図４】サブルーチン「露光」の動作を示すフローチャートである。
【図５】実施の形態に係るストロボ装置のワイド用のキセノン管１１の発光制御に係るタイムチャートである。
【図６】実施の形態に係るストロボ装置のテレ用のキセノン管１２の発光制御に係るタイムチャートである。
【符号の説明】
１  ＣＰＵ
２  ストロボ回路
３  昇圧回路
４  測光回路
５  レリーズスイッチ
６  焦点距離検出回路
７  フィルム巻き上げ回路
８  シャッタ制御回路
９  測距回路
１０  パワースイッチ
１１  ワイド用キセノン管
１２  テレ用キセノン管
１３  トランジスタ
１４  トランジスタ
【図１】
0004558224.tif 000002
【図２】
0004558224.tif 000003
【図３】
0004558224.tif 000004
【図４】
0004558224.tif 000005
【図５】
0004558224.tif 000006
【図６】
0004558224.tif 000007